(57)【特許請求の範囲】
【請求項１】
事業主サーバと、該事業主サーバに格納されるとともにＴＶ番組を予約するための予約
プログラムにアクセスするためのリンクが張られているアフィリエイトサイトが構築され
たアフィリエイトサーバと、ユーザ端末とを有し、
前記事業主サーバは、前記予約プログラムに前記アフィリエイトサイトを特定するため
のサイト識別情報を付加する手段を有し、
前記ユーザ端末は、
前記リンクにより、前記事業主サーバから、前記サイト識別情報が付加された予約プログ
ラムをダウンロードするダウンロード手段と、
前記ダウンロードした予約プログラムを実行することによりＴＶ番組の視聴または録画の
予約をする予約手段と、
前記ＴＶ番組を視聴するための視聴手段と、
前記予約したＴＶ番組の視聴がなされたか否かを前記視聴手段を監視することにより判断
する監視手段と、
前記監視の結果、前記ＴＶ番組の視聴がなされたと判断した場合には、前記事業主サーバ
に、前記ＴＶ番組を特定するための番組識別情報と前記サイト識別情報とを送信する送信
手段とを有することを特徴とする番組推薦アフィリエイトシステム。
【請求項２】
ユーザ端末のアクセス手段が、事業主サーバに格納されるとともにＴＶ番組を予約する
ための予約プログラムにアクセスするためのリンクが張られているアフィリエイトサイト
の前記リンクにより、前記予約プログラムにアクセスするアクセスステップと、
前記事業主サーバの付加手段が、前記予約プログラムに前記アフィリエイトサイトを特
定するためのサイト識別情報を付加する付加ステップと、
ユーザ端末の前記アクセス手段が、前記サイト識別情報が付加された予約プログラムを
ダウンロードするダウンロードステップと、
ユーザ端末の予約手段が、ダウンロードした前記予約プログラムを実行することにより
ＴＶ番組の視聴または録画の予約をする予約ステップと、
前記ユーザ端末の監視手段が、前記予約したＴＶ番組の視聴がなされたか否かを、ＴＶ
番組を視聴するための視聴手段を監視することにより判断する監視ステップと、
前記ユーザ端末のアクセス手段が、前記監視の結果、前記ＴＶ番組の視聴がなされたと
判断した場合には、前記事業主サーバに、前記ＴＶ番組を特定するための番組識別情報と
前記サイト識別情報とを送信する送信ステップとを有することを特徴とする番組推薦アフ
ィリエイト方法。
【請求項３】
前記監視ステップにおいて、前記視聴手段による視聴が、所定の条件を満たしたときに
前記ＴＶ番組を視聴したものと判断することを特徴とする請求項２記載の番組推薦アフィ
リエイト方法。
【請求項４】
ＴＶ番組を予約するためであって事業主サーバに格納され、アフィリエイトとしての送信者を識別するための送信者識別情報を含む予約プログラムを、電子メールによりユーザ端末に送信する第１の送信ステップと；
ユーザ端末の予約手段が、前記第１の送信ステップで送信された前記予約プログラムを実行することによりＴＶ番組の視聴または録画の予約をする予約ステップと；
前記ユーザ端末の監視手段が、前記予約したＴＶ番組の視聴がなされたか否かを、ＴＶ番組を視聴するための視聴手段を監視することにより判断する監視ステップと；
前記ユーザ端末のアクセス手段が、前記監視の結果、前記ＴＶ番組の視聴がなされたと判断した場合には、前記事業主サーバに、前記ＴＶ番組を特定するための番組識別情報と前記送信者識別情報とを送信する第２の送信ステップとを有することを特徴とする番組推薦アフィリエイト方法。
【請求項５】
前記監視ステップにおいて、前記視聴手段による視聴が、所定の条件を満たしたときに
前記ＴＶ番組を視聴したものと判断することを特徴とする請求項４記載の番組推薦アフィ
リエイト方法。
【発明の詳細な説明】
【技術分野】
【０００１】
本発明は、インターネット上の広告の１つであるアフィリエイトシステムに関する。
【背景技術】
【０００２】
従来から、物品等の販売を広告するためのアフィリエイトシステムが構築され実施されている。このようなアフィリエイトシステムの概略を説明すると、このシステムは、物品等を販売するためのＷＥＢサイト（以下、事業主サイトと称す。）で販売している商品の広告を、ホームページやブログ等のＷＥＢサイト（以下、アフィリエイトサイトと称す。）や電子メールにリンク情報として表示させ、潜在的な顧客がその広告を顧客端末からアクセスした、すなわち、事業主サイトにアクセスして商品の詳細情報を閲覧した後、しかるべき期間内に、その潜在的であった顧客が、顧客端末から事業主サイトにアクセスして、閲覧した商品を購入すると、アフィリエイトサイトの運営者に事業主から対価が支払われるシステムである。
【０００３】
さらに詳細には、このようなアフィリエイトシステムでは、顧客が、アフィリエイトサイトを介して商品の詳細情報にアクセスした際、アフィリエイトサイトを特定するための情報やアクセスした商品を特定するための情報等が顧客端末のブラウザのクッキーとして顧客端末に保存され、その後、顧客端末にて、顧客が、事業主サイトにアクセスして商品を購入した際には、事業主サイトのサーバが、そのクッキーを利用して、アフィリエイトサイトを介した広告効果があったものと判断する。
【０００４】
なお、このようなアフィリエイトシステムが、特許文献１に開示されている。
【０００５】
【特許文献１】特開２００７−１１４９５４号公報
【発明の開示】
【発明が解決しようとする課題】
【０００６】
ところで、ホームページやブログの運営者が、ホームページやブログ上で、ＴＶ番組を推薦したりして紹介する場合がある。しかしながら、その紹介を見て、電子番組表でそのＴＶ番組を予約して見たり、録画したりした者がいたとしても、事業主、例えば、電子番組表提供業者や放送局等は、前述のホームページやブログの運営者による紹介による効果があったのか否かを把握することができなかった。
【０００７】
そこで、本発明の目的は、ホームページやブログの運営者によるＴＶ番組等の推薦の効果を、事業主が把握することができるアフィリエイトシステムを提供することを目的とする。
【課題を解決するための手段】
【０００８】
本発明の番組推薦アフィリエイトシステムは、事業主サーバと、該事業主サーバに格納されるとともにＴＶ番組を予約するための予約プログラムにアクセスするためのリンクが張られているアフィリエイトサイトが構築されたアフィリエイトサーバと、ユーザ端末とを有し、前記事業主サーバは、前記予約プログラムに前記アフィリエイトサイトを特定するためのサイト識別情報を付加する手段を有し、前記ユーザ端末は、前記リンクにより、前記事業主サーバから、前記前記サイト識別情報が付加された予約プログラムをダウンロードするダウンロード手段と、前記ダウンロードした予約プログラムを実行することによりＴＶ番組の視聴または録画の予約をする予約手段と、前記ＴＶ番組を視聴するための視聴手段と、前記予約したＴＶ番組の視聴がなされたか否かを前記視聴手段を監視することにより判断する監視手段と、前記監視の結果、前記ＴＶ番組の視聴がなされたと判断した場合には、前記事業主サーバに、前記ＴＶ番組を特定するための番組識別情報と前記サイト識別情報とを送信する送信手段とを有することを特徴とする。
【０００９】
本発明の第１の番組推薦アフィリエイト方法は、ユーザ端末のアクセス手段が、事業主サーバに格納されるとともにＴＶ番組を予約するための予約プログラムにアクセスするためのリンクが張られているアフィリエイトサイトの前記リンクにより、前記予約プログラムにアクセスするアクセスステップと、前記事業主サーバの付加手段が、前記予約プログラムに前記アフィリエイトサイトを特定するためのサイト識別情報を付加する付加ステップと、ユーザ端末の前記アクセス手段が、前記サイト識別情報が付加された予約プログラムをダウンロードするダウンロードステップと、ユーザ端末の予約手段が、ダウンロードした前記予約プログラムを実行することによりＴＶ番組の視聴または録画の予約をする予約ステップと、前記ユーザ端末の監視手段が、前記予約したＴＶ番組の視聴がなされたか否かを、ＴＶ番組を視聴するための視聴手段を監視することにより判断する監視ステップと、前記ユーザ端末のアクセス手段が、前記監視の結果、前記ＴＶ番組の視聴がなされたと判断した場合には、前記事業主サーバに、前記ＴＶ番組を特定するための番組識別情報と前記サイト識別情報とを送信する送信ステップとを有することを特徴とする。
【００１０】
本発明の第２の番組推薦アフィリエイト方法は、ＴＶ番組を予約するためであって事業主サーバに格納され、アフィリエイトとしての送信者を識別するための送信者識別情報を含む予約プログラムを、電子メールによりユーザ端末に送信する第１の送信ステップと；ユーザ端末の予約手段が、前記第１の送信ステップで送信された前記予約プログラムを実行することによりＴＶ番組の視聴または録画の予約をする予約ステップと；前記ユーザ端末の監視手段が、前記予約したＴＶ番組の視聴がなされたか否かを、ＴＶ番組を視聴するための視聴手段を監視することにより判断する監視ステップと；前記ユーザ端末のアクセス手段が、前記監視の結果、前記ＴＶ番組の視聴がなされたと判断した場合には、前記事業主サーバに、前記ＴＶ番組を特定するための番組識別情報と前記送信者識別情報とを送信する第２の送信ステップとを有することを特徴とする。
【発明の効果】
【００１２】
本発明によれば、ホームページやブログの運営者によるＴＶ番組等の推薦の効果を、事業主が把握することができるアフィリエイトシステムを提供することができる。
【発明を実施するための最良の形態】
【００１３】
以下、図面を参照して本発明を実施するための最良の形態について詳細に説明する。
【００１４】
図１は、本発明の実施の形態のアフィリエイトシステムを説明するためのブロック図である。図１を参照すると、アフィリエイトシステムは、それぞれインターネット等のネットワークに接続されたユーザ端末１０とアフィリエイトサーバ２０と事業主サーバ３０とを有する。
【００１５】
ユーザ端末１０は、制御部１８と記憶部１９とを有し、制御部１８は、記録媒体に格納されたプログラムを実行することにより、ブラウザ手段、イベント実行手段１２、監視手段１３、及び、視聴手段１４を備える。なお、ユーザ端末１０は、もちろん録画や視聴に必要なハードウェア（図示せず）を備えており、視聴については視聴手段１４に制御される。
【００１６】
アフィリエイトサーバ２０には、アフィリエイトサイト２１が構築されている。アフィリエイトサイト２１では、ＴＶ番組に関する情報が紹介されている。詳細については後述する。
【００１７】
事業主サーバ３０は、制御部３８と記憶部３９とを有し、制御部３８は、記録媒体に格納されたプログラムを実行することにより、情報付加手段３１、広告料算定手段３２、及び、通知手段３３を備える。記憶部３９には、ＴＶ番組の視聴や録画をユーザ端末にて予約させるためのプログラム（スクリプト）が番組ごとに用意されている。なお、このようなプログラム（以下、予約プログラムと称す。）の一例として、iＥＰＧ（ソニー株式会社の登録商標）が知られている。また、記憶部３９には、アフィリエイトサイトと報酬情報と支払先情報と連絡先情報とが対応付けられてテーブルとして格納されている。
【００１８】
ここで、アフィリエイトサイト２１についてさらに説明する。アフィリエイトサイト２１は運営者独自のコンテンツの他、前述したとおりＴＶ番組に関する情報が広告として紹介されている。ここで、ＴＶ番組の広告の文字情報等（例えば、番組説明）は、事業主サーバの記憶部３９から取得してもよいし、事業主サーバ３０がその広告の文字情報等を開示するＷＥＢサイトを立ち上げているのであれば、そのサイトにリンクを張ってもよいし、アフィリエイトサイト２１の運営者が自らの言葉で紹介してもよい。そして、アフィリエイトサイト２１では、ＴＶ番組の広告に近接して、前述した予約プログラムへのリンクが張られている。
【００１９】
次に、本実施の形態の動作について図２を参照して説明する。図２は、本実施の形態のアフィリエイトシステムを説明するためのシーケンス図である。
【００２０】
図２を参照すると、ユーザ端末１０のブラウザ手段１１が、アフィリエイトサーバ２０のアフィリエイトサイト２１にアクセスすると、アフィリエイトサイト２１の内容が、ブラウザ手段１１により、ユーザ端末１０のブラウザ上に表示される。なお、アフィリエイトサイト２１が、事業主サーバ３０のＷＥＢサイトにリンクが張ってある場合には、リンク先の内容（例えばＴＶ番組の説明）もブラウザに表示される（ステップＳ１）。
【００２１】
ここで、アフィリエイトサイト２１にて紹介されているＴＶ番組に興味を持ったユーザは、予約プログラムへのリンクをクリック（ステップＳ２）する等して事業主サーバ３０に格納されている予約プログラムにアクセスする。
【００２２】
次に、事業主サーバ３０の情報付加手段３１は、アクセスされた予約プログラムに、アフィリエイトサイト２１を特定するためのサイト識別情報を付加する（ステップＳ３）。ここで、情報付加手段３１は、ユーザ端末１０からのアクセスが、アフィリエイトサイト２１のリンクからのアクセスであることを検知できるので、上述のサイト識別情報を付加することができる。
【００２３】
ユーザ端末１０のイベント実行手段１２は、事業主サーバ３０の記憶部３９からダウンロードした識別情報付きの予約プログラムを実行することにより、ＴＶ番組の視聴や録画の予約を実行する（ステップＳ４）。
【００２４】
次に、ユーザ端末１０の監視手段１３は、予約したＴＶ番組が、視聴手段１４により視聴されたか否かを監視する（ステップＳ５）。次に、監視手段１３にて視聴が確認できれば、監視手段１３は、事業主サーバ３０に対し、どのＴＶ番組の視聴であるかを示す番組識別情報と、前述のサイト識別情報とを事業主サーバに通知する。
【００２５】
このように、本実施の形態のアフィリエイトシステムによれば、ホームページやブログの運営者によるＴＶ番組等の推薦の効果を、事業主が把握することができる。
【００２６】
なお、紹介者（上述の実施の形態のアフィリエイトサイト２１の運営者に対応）が、電子メールで番組を紹介する場合には、電子メールに前述したような識別情報（電子メールを送信した者を特定するための情報）が付された予約プログラムを、任意の者に送信することもできる。このような電子メールを受信して予約プログラムをユーザ端末が実行した後は、ユーザ端末及び事業主サーバは上述したステップＳ３以降の処理と同様の処理を行う。
【００２７】
また、上述のステップＳ５の処理、すなわち、予約したＴＶ番組が、視聴手段１４により視聴されたか否かを監視する処理において、視聴したか否かを判断する基準をより細かく設定することもできる。例えば、ある一定時間の視聴で視聴したものと判断することもできるし、所定の箇所（例えばＣＭ）を視聴したかを判断し、この箇所の視聴をもって、視聴したものと判断することもできる。なお、このような制御を行うためには、事業主サーバ３０の情報付加手段３１が、ステップＳ３において、上述したサイト識別情報及び予約プログラムのほか、別途の制御情報を付加し、この制御情報に基づいてユーザ端末１０の監視手段１３が上述の制御を行えばよい。
【００２８】
以上、本発明の実施の形態として、ホームページやブログ（アフィリエイトサイト）で紹介する対象としてＴＶ番組を例にとって説明したが、ＴＶ番組以外の対象も採用することもできる。このような対象は、要するに、ユーザ端末が何らかのプログラムをダウンロードして、そのプログラムに基づくユーザ端末の動作を監視できるものであればよい。例えば、アフィリエイトサイトにて、事業主サーバに格納されているソフトウェアの紹介をし、その実行状況（インストールや所定機能の実行）を監視することにより、事業主は、上述したＴＶ番組を紹介するアフィリエイトシステムと同様、ホームページやブログの運営者によるソフトウェアの推薦の効果を、事業主が把握することができる。
【図面の簡単な説明】
【００２９】
【図１】本発明の実施の形態のアフィリエイトシステムを説明するためのブロック図である。
【図２】図２は、本実施の形態のアフィリエイトシステムを説明するためのシーケンス図である。
【符号の説明】
【００３０】
１０  ユーザ端末
１１  ブラウザ手段
１２  イベント実行手段
１３  監視手段
１４  視聴手段
１８  制御部
１９  記憶部
２０  アフィリエイトサーバ
２１  アフィリエイトサイト
３０  事業主サーバ
３１  情報付加手段
３８  制御部
３９  記憶部
【図１】
0005189325.tif 000002
【図２】
0005189325.tif 000003